(57)【要約】【課題】  ガスステーを用いても、障害物のフードへの衝突時に衝撃を効果的に吸収できるようにする。【解決手段】  車体側とフード１を回動自在に接続するヒンジ３と、両端が車体側及びフード１側に支持されフード１を開放方向へ付勢するガスステー４と、を備えたフード支持構造において、フード１が閉塞位置からさらに下方向へ移動した場合に、ガスステー４の車体側端部を車体側から離脱させる離脱機構を設けた。【選択図】図３
2005280575.tif 000002
【特許請求の範囲】
【請求項１】
車体側とフードを回動自在に接続するヒンジと、両端が車体側及びフード側に支持され該フードを開放方向へ付勢するガスステーと、を備えたフード支持構造において、
前記フードが閉塞位置からさらに下方向へ移動した場合に、前記ガスステーの車体側端部を前記車体側から離脱させる離脱機構を設けたことを特徴とするフード支持構造。
【請求項２】
前記ガスステーの車体側端部に形成される略円筒状の筒部材と、前記筒部材の内面と摺接し車体側に固定される略円柱状の軸部材と、の摺動により、前記フードが開放方向へ回動すると前記ガスステーが車体側に対して一方向へ回動し、前記フードが閉塞方向へ回動すると前記ガスステーが車体側に対して他方向へ回動するよう構成し、
前記離脱機構は、
前記筒部材に形成され、軸方向へわたって延び、幅方向長さが前記軸部材の直径より小さい筒部材切欠と、
前記軸部材の周方向の一部区間に形成され、該軸部材の径方向長さが前記筒部材切欠の幅方向長さより小さい軸部材切欠と、を有し、
前記ガスステーが前記フードの閉塞位置からさらに他方向へ回動すると、前記軸部材切欠が形成された区間に前記筒部材切欠が到達して、前記筒部材が前記軸部材から離脱するよう構成したことを特徴とする請求項１に記載のフード支持構造。
【請求項３】
前記離脱機構は、前記軸部材に設けられ前記フードの閉塞位置と開放位置の間で前記筒部材切欠を挿通する突出部を有し、
前記ガスステーが前記フードの閉塞位置からさらに他方向へ回動すると、前記軸部材の突出部と、前記筒部材における前記筒部材切欠の周縁とが干渉するよう構成したことを特徴とする請求項２に記載のフード支持構造。
【請求項４】
前記ガスステーの車体側端部に形成される略円筒状の筒部材と、前記筒部材の内面と摺接し車体側に固定される略円柱状の軸部材と、の摺動により、前記フードが開放方向へ回動すると前記ガスステーが車体側に対して一方向へ回動し、前記フードが閉塞方向へ回動すると前記ガスステーが車体側に対して他方向へ回動するよう構成し、
前記離脱機構は、
前記筒部材に形成され、軸方向へわたって延び、幅方向長さが前記軸部材の直径より小さい筒部材切欠と、
記軸部材に設けられ前記フードの閉塞位置と開放位置の間で前記筒部材切欠を挿通する突出部と、を有し、
前記ガスステーが前記フードの閉塞位置からさらに他方向へ回動すると、前記軸部材の突出部と、前記筒部材における前記筒部材切欠の周縁とが干渉して、前記筒部材が前記軸部材から離脱するよう構成したことを特徴とする請求項１に記載のフード支持構造。
【請求項５】
前記ガスステーから軸方向に延長した仮想線が、前記軸部材の軸中心から前記筒部材切欠と反対側にオフセットされるよう構成したことを特徴とする請求項２から４のいずれか一項に記載のフード支持構造。
【発明の詳細な説明】
【技術分野】
【０００１】
本発明は、車体前部の開口を開閉するフードを車体側に支持させる構造に関する。
【背景技術】
【０００２】
車両の前部には、車体フレームにより画成された開口を閉塞するフードが配される。フロントエンジン車においては、車体フレームに包囲された空間がエンジンルームをなし、エンジン及びその補機類が配設される。フードの後端側は車体側にヒンジを介して接続され、フードの前端側に車体側のラッチと係脱自在のストライカを設けた構造が一般的である（例えば、特許文献１参照。）。この構造では、フードの前端が上昇するとフードが開放状態となり、下降するとフードが閉塞状態となる。
【０００３】
車両前部に位置するフードには、上方から障害物が衝突することを想定して、衝突時に衝撃を緩和する構造が採用される。特許文献１に記載のフード支持構造では、ヒンジのフード取付ボルトの頭部を低く形成して、衝突時におけるフードのヒンジ近傍のアウタパネルの変形量を確保している。すなわち、アウタパネルの変形でエネルギを吸収できるようになっている。
【０００４】
ここで、ラッチとストライカの係合が解除された状態におけるフードの上昇については、人力によるもの、ガスステーによるもの等が知られている。人力によるものについてはフードの開閉作業者の負担が大きいという問題点があるが、ガスステーによるものは、この問題を回避することができる。ガスステーを用いる場合は、フードを開放方向へ付勢するように、車体側とフードの間にガスステーを介在させることとなる。
【特許文献１】特開２０００−６８４５号公報
【発明の開示】
【発明が解決しようとする課題】
【０００５】
しかしながら、ガスステーはフードを開放方向へ付勢するものであるので、上方から障害物がフードに衝突するとガスステーがフードと車体側との間で突っ張ることとなり、フードの変形による衝撃吸収を阻害してしまう。
【０００６】
本発明は、前記事情に鑑みてなされたものであり、その目的とするところは、ガスステーを用いても、障害物のフードへの衝突時に衝撃を効果的に吸収することのできるフード支持構造を提供することにある。
【課題を解決するための手段】
【０００７】
前記目的を達成するため、請求項１に記載の発明では、車体側とフードを回動自在に接続するヒンジと、両端が車体側及びフード側に支持され該フードを開放方向へ付勢するガスステーと、を備えたフード支持構造において、前記フードが閉塞位置からさらに下方向へ移動した場合に、前記ガスステーの車体側端部を前記車体側から離脱させる離脱機構を設けたことを特徴とする。
【０００８】
請求項１に記載の発明によれば、閉塞状態のフードに上方から障害物が衝突すると、フードが閉塞状態からさらに下方向へ移動する。このとき、離脱機構により、ガスステーが車体側から離脱される。
【０００９】
従って、上方から障害物がフードに衝突した際に、ガスステーがフードと車体側との間で突っ張ることはなく、フードのアウタパネル、ヒンジ等により、構造全体で効率よく衝撃を吸収することができる。すなわち、通常使用時におけるガスステーによるフード開放作業の負担軽減と、障害物の衝突時における衝撃吸収と、を両立させることができ、実用に際して極めて有利である。
【００１０】
請求項２に記載の発明では、請求項１に記載のフード支持構造において、前記ガスステーの車体側端部に形成される略円筒状の筒部材と、前記筒部材の内面と摺接し車体側に固定される略円柱状の軸部材と、の摺動により、前記フードが開放方向へ回動すると前記ガスステーが車体側に対して一方向へ回動し、前記フードが閉塞方向へ回動すると前記ガスステーが車体側に対して他方向へ回動するよう構成し、前記離脱機構は、前記筒部材に形成され、軸方向へわたって延び、幅方向長さが前記軸部材の直径より小さい筒部材切欠と、前記軸部材の周方向の一部区間に形成され、該軸部材の径方向長さが前記筒部材切欠の幅方向長さより小さい軸部材切欠と、を有し、前記ガスステーが前記フードの閉塞位置からさらに他方向へ回動すると、前記軸部材切欠が形成された区間に前記筒部材切欠が到達して、前記筒部材が前記軸部材から離脱するよう構成したことを特徴とする。
【００１１】
請求項２に記載の発明によれば、請求項１の作用に加え、車体側に固定された軸部材と摺接する筒部材が、軸部材を中心として回動することにより、フード開閉時にガスステーの車体側に対する回動が許容される。尚、フードが閉塞状態から開放状態の間に位置する通常の使用時には、ガスステーに形成された筒部材の回動によって軸部材に対する筒部材切欠の位置が変化するものの、筒部材切欠は軸部材切欠が形成された区間には到達しない。
【００１２】
ここで、閉塞状態のフードに上方から障害物が衝突すると、フードからガスステーに他方向への衝撃が加わることとなる。これにより、ガスステーがフードの閉塞位置からさらに他方向へ回動し、ガスステーに形成された筒部材が移動して、軸部材における軸部材切欠が形成された区間に筒部材切欠が到達する。
【００１３】
軸部材切欠が形成された区間では、軸部材の径方向長さは筒部材切欠の幅方向長さより小さいことから筒部材が軸部材から抜脱し、障害物のフードへの衝突時にガスステーが車体側から外れる。従って、簡素な構成で、筒部材の軸部材からの抜脱を実現することができる。
【００１４】
ここで、筒部材切欠をガスステー本体の近傍に形成する構成が好ましい。このような構成とすると、筒部材における軸部材から離脱する方向は、ガスステーの軸方向とほぼ一致する。そして、筒部材にはガスステーによる付勢力が車体側へ向かう方向へ作用するとともに、フードに加わった衝撃がガスステーを車体側へ押し付ける方向へ作用することから、筒部材にはガスステーからその軸方向の力が作用することとなり、筒部材の軸部材からの抜脱をより的確に行うことができる。
【００１５】
請求項３に記載の発明では、請求項２に記載のフード支持構造において、前記離脱機構は、前記軸部材に設けられ前記フードの閉塞位置と開放位置の間で前記筒部材切欠を挿通する突出部を有し、前記ガスステーが前記フードの閉塞位置からさらに他方向へ回動すると、前記軸部材の突出部と、前記筒部材における前記筒部材切欠の周縁とが干渉するよう構成したことを特徴とする。
【００１６】
請求項３に記載の発明によれば、請求項２の作用に加え、フードが閉塞状態から開放状態の間に位置する通常の使用時には、ガスステーの回動に追従して筒部材が軸部材に対して移動するものの、軸部材の突出部は常に筒部材切欠の内側に位置し、軸部材と筒部材の摺動に支障をきたすことはない。
【００１７】
閉塞状態のフードに上方から障害物が衝突すると、フードからガスステーに他方向への衝撃が加わることとなる。これにより、ガスステーがフードの閉塞位置からさらに他方向へ回動し、ガスステーに形成された筒部材が移動して、軸部材の突出部と、筒部材における筒部材切欠の周縁とが干渉する。
【００１８】
軸部材の突出部と筒部材切欠の周縁とが干渉すると、軸部材に対する筒部材の回動が阻止される。この結果、筒部材における筒部材切欠の周方向一端側には突出部から受ける力が作用し、周方向他端側にはガスステーから受ける力が作用して、筒部材切欠が周方向に拡がる方向に変形する。これにより、さらに確実に筒部材を軸部材から抜脱させることができ、さらに効率よく衝撃を吸収することができる。また、ガスステーが車体側から外れる姿勢が的確に定まるため、障害物が衝突した際の各部品の挙動を的確に把握することができ、車体フレーム及び各部品の設計上極めて有利である。
【００１９】
請求項４に記載の発明では、請求項１に記載のフード支持構造において、前記ガスステーの車体側端部に形成される略円筒状の筒部材と、前記筒部材の内面と摺接し車体側に固定される略円柱状の軸部材と、の摺動により、前記フードが開放方向へ回動すると前記ガスステーが車体側に対して一方向へ回動し、前記フードが閉塞方向へ回動すると前記ガスステーが車体側に対して他方向へ回動するよう構成し、前記離脱機構は、前記筒部材に形成され、軸方向へわたって延び、幅方向長さが前記軸部材の直径より小さい筒部材切欠と、記軸部材に設けられ前記フードの閉塞位置と開放位置の間で前記筒部材切欠を挿通する突出部と、を有し、前記ガスステーが前記フードの閉塞位置からさらに他方向へ回動すると、前記軸部材の突出部と、前記筒部材における前記筒部材切欠の周縁とが干渉して、前記筒部材が前記軸部材から離脱するよう構成したことを特徴とする。
【００２０】
請求項４に記載の発明によれば、車体側に固定された軸部材と摺接する筒部材が、軸部材を中心として回動することにより、フード開閉時にガスステーの車体側に対する回動が許容される。ここで、フードが閉塞状態から開放状態の間に位置する通常の使用時には、ガスステーの回動に追従して筒部材が軸部材に対して移動するものの、軸部材の突出部は常に筒部材切欠の内側に位置し、軸部材と筒部材の摺動に支障をきたすことはない。
【００２１】
閉塞状態のフードに上方から障害物が衝突すると、フードからガスステーに他方向への衝撃が加わることとなる。これにより、ガスステーがフードの閉塞位置からさらに他方向へ回動し、ガスステーに形成された筒部材が移動して、軸部材の突出部と、筒部材における筒部材切欠の周縁とが干渉する。
【００２２】
軸部材の突出部と筒部材切欠の周縁とが干渉すると、軸部材に対する筒部材の回動が阻止される。この結果、筒部材における筒部材切欠の周方向一端側には突出部から受ける力が作用し、周方向他端側にはガスステーから受ける力が作用して、筒部材切欠が周方向に拡がる方向に変形する。
【００２３】
これにより、確実に筒部材を軸部材から抜脱させることができ、効率よく衝撃を吸収することができる。また、ガスステーが車体側から外れる姿勢が的確に定まるため、障害物が衝突した際の各部品の挙動を的確に把握することができ、車体フレーム及び各部品の設計上極めて有利である。
【００２４】
ここで、筒部材切欠をガスステー本体の近傍に形成する構成が好ましい。このような構成とすると、筒部材における軸部材から離脱する方向は、ガスステーの軸方向とほぼ一致する。そして、筒部材にはガスステーによる付勢力が車体側へ向かう方向へ作用するとともに、フードに加わった衝撃がガスステーを車体側へ押し付ける方向へ作用することから、筒部材にはガスステーからその軸方向の力が作用することとなり、筒部材の軸部材からの抜脱をより的確に行うことができる。
【００２５】
請求項５に記載の発明では、請求項２から４のいずれか一項に記載のフード支持構造において、前記ガスステーから軸方向に延長した仮想線が、前記軸部材の軸中心から前記筒部材切欠と反対側にオフセットされるよう構成したことを特徴とする。
【００２６】
請求項５に記載の発明によれば、請求項２から４のいずれか一項の作用に加え、筒部材にガスステーからの力が軸部材の中心とずれるようにして加わり、軸部材の中心から力の作用線と平行な仮想線上に筒部材切欠が位置することとなり、筒部材の軸部材からの離脱が容易となる。
【発明の効果】
【００２７】
このように、本発明のフード支持構造によれば、ガスステーを用いても、障害物のフードへの衝突時に衝撃を効果的に吸収することができる。
【発明を実施するための最良の形態】
【００２８】
図１から図５は本発明の一実施形態を示すもので、図１はフードが閉塞状態のときの自動車車両の側面説明図、図２はフードが開放状態のときの自動車車両の側面説明図、図３はフード支持構造の外観斜視図、図４はフード支持構造の縦断面図、図５はフードに障害物が衝突した状態における自動車車両の側面説明図である。
【００２９】
図１に示すように、このフード支持構造は、フロントエンジン車の自動車車両のエンジンルームを開閉するフード１を、車体フレーム２側に支持させるものである。このフード支持構造は、車体フレーム２とフード１の後端を回動自在に接続するヒンジ３を備えている。また、このフード支持構造は、車体フレーム２とフード１の間に介在しフード１を開放方向へ付勢するガスステー４を備えている。フード１の前端には、車体のクロスメンバ５に設置されたラッチ６と係脱自在のストライカ７が設けられる。これにより、フード１は後端側を中心として回動し、閉塞状態でラッチ６とストライカ７の係合が解除されると、ガスステー４の付勢力によりフード１は開放状態となるまで移動する。また、開放状態のフード１は、作業者が前端側に下方の力を加えることにより、閉塞状態となるまで移動し、ラッチ６とストライカ７が係合して車体側にロックされる。
【００３０】
本実施形態においては、図1に示すように、ヒンジ３は、略Ｌ字状の車体側部材３ａと、これと回動自在に連結される略Ｌ字状のフード側部材３ｂとを有する。車体側部材３ａは、前後に延びる車体フレーム２にボルト等で締結固定される前後延在部と、前後延在部の後端から上方へ延びる上下延在部とを有する。また、フード側部材３ｂは、フード１にボルト等で締結固定される前後延在部と、前後延在部の後端から下方へ延びる上下延在部とを有する。そして、車体側部材３ａとフード側部材３ｂの上下延在部の端部を互いに連結することにより、車体側部材３ａとフード側部材３ｂとが回動自在とされ、この結果、図２に示すように車体側に対してフード１が回動するようになっている。
【００３１】
図１に示すように、ガスステー４は、前下がり傾斜して配され、両端が車体フレーム２側及びフード１側に支持される。本実施形態においては、ガスステー４のフード１側の端部は、ヒンジ３におけるフード側部材３ｂの前後延在部の前端に回動自在に取り付けられる。また、図３に示すように、ガスステー４の車体側の端部には、略円筒状のハウジング８が形成される。このハウジング８の内面には、車体フレーム２と螺合している円柱ボルト９が摺接する。筒部材としてのハウジング８と軸部材としての円柱ボルト９は左右に延び、車体のホイールエプロン１０近傍の上部に設置される。本実施形態においては、図３に示すように、円柱ボルト９は、ハウジング８の左右への移動を規制するため、頭の部分がハウジング８の内面と摺接する部分に比して太く形成されている。
【００３２】
このように、略円筒状のハウジング８と、略円柱状の円柱ボルト９との摺動により、図２に示すようにフード１が開放方向へ回動するとガスステー４が車体フレーム２に対して一方向へ回動し、図１に示すようにフード１が閉塞方向へ回動するとガスステー４が車体フレーム２に対して他方向へ回動するよう構成されている。
【００３３】
図３に示すように、ハウジング８のガスステー本体の近傍には、軸方向へわたって延び、幅方向長さＡが円柱ボルト９の直径より小さなハウジング切欠１１が形成される。尚、ここでいう幅方向長さＡとは、図４（ａ）に示すようにハウジング断面における切欠１１の弦の長さであり、ハウジング断面における周方向長さでない。本実施形態においては、ハウジング切欠１１は、ハウジング８の上側に形成されている。本実施形態においては、ガスステー４は軸方向に延長した仮想線が円柱ボルト９の軸中心とほぼ一致するようになっている。尚、ガスステー４は、例えば図６に示すように、軸方向に延長した仮想線が、円柱ボルト９の軸中心とハウジング切欠１１と反対側、すなわち下側にオフセットされるようにしてもよい。
【００３４】
また、図４（ａ）に示すように、円柱ボルト９には、円柱ボルト９の径方向長さＢが、ハウジング切欠１１の幅方向長さＡより小さくなるよう周方向の一部区間に円柱ボルト切欠１２が形成される。この円柱ボルト切欠１２も、ハウジング切欠１１と同様に、軸方向にわたって形成されている。円柱ボルト切欠１２は、円柱ボルト９の下側後方に形成され、これに伴って円柱ボルト９には前下がりの傾斜面９ａが形成される。尚、本実施形態においては、図４（ａ）に示すように、この傾斜面９ａは側面視にて直線状に形成されている。本実施形態においては、フード１が閉塞位置からさらに下方向へ移動した場合に、ガスステー４の車体側端部を車体フレーム２から離脱させる離脱機構は、ハウジング切欠１１と円柱ボルト切欠１２とを有する。
【００３５】
図４（ａ）及び（ｂ）に示すように、各切欠１１，１２の位置関係は、フード１の閉塞位置と開放位置の間で、ハウジング８のハウジング切欠１１が、円柱ボルト９における円柱ボルト切欠１２の形成区間に到達しないようになっている。そして、図５に示すようにガスステー４がフード１の閉塞位置からさらに他方向へ回動すると、図４（ｃ）に示すように円柱ボルト切欠１２が形成された区間にハウジング切欠１１が到達して、ハウジング８が円柱ボルト９から離脱するよう構成されている。
【００３６】
また、図４（ａ）及び（ｂ）に示すように、円柱ボルト９には、フード１の閉塞位置と開放位置の間で、ハウジング切欠１１を挿通する突出部１３が設けられる。これにより、ガスステー４がフード１の閉塞位置からさらに他方向へ回動すると、図４（ｃ）に示すように、円柱ボルト９の突出部１３と、ハウジング８におけるハウジング切欠１１の周縁とが干渉するようになっている。本実施形態においては、この突出部１３は、円柱ボルト９の径方向に延びる板状に形成される。また、ハウジング切欠１１がハウジング８の上側に形成されていることから、これに対応して、突出部１３も円柱ボルト９の上側に形成される。本実施形態においては、離脱機構は、ハウジング切欠１１及び円柱ボルト切欠１２に加えて突出部１３を有している。
【００３７】
以上のように構成されたフード支持構造によれば、車体側に固定された円柱ボルト９と摺接するハウジング８が、円柱ボルト９を中心として回動することにより、フード１の開閉時にガスステー４の車体側に対する回動が許容される。すなわち、前述のように、フード１が閉塞状態から開放状態の間に位置する通常の使用時には、ガスステー４に形成されるハウジング８の回動によって円柱ボルト９に対するハウジング切欠１１の位置が変化するものの、ハウジング切欠１１は円柱ボルト切欠１２が形成された区間には到達しない（図４（ａ）及び（ｂ）参照）。また、ガスステー４の回動に追従してハウジング８が円柱ボルト９に対して移動するものの、円柱ボルト９の突出部１３は常にハウジング切欠１１の内側に位置し、円柱ボルト９とハウジング８の摺動に支障をきたすことはない（図４（ａ）及び（ｂ）参照）。
【００３８】
ここで、図５に示すように、閉塞状態のフード１に上方から障害物が衝突すると、フード１からガスステー４に他方向への衝撃が加わることとなる。これにより、ガスステー４がフード１の閉塞位置からさらに他方向へ回動し、ガスステー４に形成されたハウジング８が移動して、ハウジング切欠１１が円柱ボルト９における円柱ボルト切欠１２が形成された区間に到達する（図４（ｃ）参照）。
【００３９】
円柱ボルト切欠１２が形成された区間では、円柱ボルト９の径方向長さＢはハウジング切欠１１の幅方向長さＡより小さいことから、ハウジング８に円柱ボルト９から離脱する方向の力が作用するとハウジング８が円柱ボルト９から抜脱する。従って、簡素な構成で、ハウジング８の円柱ボルト９からの抜脱を実現することができる。ここで、ハウジング切欠１１の近傍にガスステー４の本体が固定されていることから、ハウジング８における円柱ボルト９から離脱する方向は、ガスステー４の軸方向とほぼ一致する。そして、ハウジング８にはガスステー４による付勢力が車体側へ向かう方向へ作用しているし、フード１に加わった衝撃がガスステー４を車体側へ押し付ける方向へ作用することから、ハウジング８にはガスステー４からその軸方向の力が作用することとなる。この結果、障害物のフード１への衝突時に、ハウジング８が円柱ボルト９から抜脱してガスステー４が車体側から外れる。
【００４０】
また、本実施形態においては、円柱ボルト９に突出部１３が形成されていることから、閉塞状態のフード１に上方から障害物が衝突すると、ガスステー４がフード１の閉塞位置からさらに他方向へ回動し、ガスステー４に形成されたハウジング８が移動して、円柱ボルト９の突出部１３と、ハウジング８におけるハウジング切欠１１の周縁とが干渉する。
【００４１】
このように、円柱ボルト９の突出部１３とハウジング切欠１１の周縁とが干渉すると、円柱ボルト９に対するハウジング８の回動が阻止される。この結果、図４（ｃ）に示すように、ハウジング８におけるハウジング切欠１１の周方向一端側には突出部１３から受ける力が作用し、周方向他端側にはガスステー４から受ける付勢力が作用して、ハウジング切欠１１が周方向に拡がる方向に変形し、より確実にハウジング８を円柱ボルト９から抜脱させることができる。
【００４２】
このように、本実施形態のフード支持構造によれば、上方から障害物がフード１に衝突した際に、ガスステー４が車体側から脱落するようにしたので、ガスステー４がフード１と車体側との間で突っ張ることはなく、フード１のアウタパネル、ヒンジ３等により、構造全体で効率よく衝撃を吸収することができる。従って、万が一、歩行者がフード１に衝突したとしても、歩行者に及ぼす傷害値は従来の構造よりも飛躍的に軽減される。このように、通常使用時におけるガスステー４によるフード１の開放作業の負担軽減と、障害物の衝突時における衝撃吸収と、を両立させることができ、実用に際して極めて有利である。
【００４３】
また、本実施形態のフード支持構造によれば、障害物がフード１に衝突した際に、円柱ボルト９の突出部１３がハウジング切欠１１の周縁と干渉するようにしたので、より確実に筒部材を軸部材から抜脱させることができ、効率よく衝撃を吸収することができる。また、ガスステー４が車体側から外れる姿勢が的確に定まるため、障害物が衝突した際の各部品の挙動を的確に把握することができ、車体フレーム２及び各部品の設計上極めて有利である。
【００４４】
尚、前記実施形態においては、ガスステー４が前下がりの姿勢で、フード１と車体フレーム２の間に介在するものを示したが、図７に示すように、ガスステー４は後下がりの姿勢で配置されるものであってもよい。この場合、ハウジング８、円柱ボルト９等を前後逆さに形成しておけば、前記実施形態と同様の作用効果を得ることができる。
【００４５】
また、前記実施形態においては、ガスステー４を軸方向に延長した仮装線が、円柱ボルト９の軸中心を通るものを示したが、例えば図６に示すように、軸方向に延長した仮想線が、円柱ボルト９の軸中心とハウジング切欠１１と反対側、すなわち下側にオフセットされるようにしてもよい。この場合、ガスステー４から軸方向に延長した仮想線が、円柱ボルト９の軸中心からハウジング切欠１１と反対側にオフセットされるよう構成されているので、ハウジング８にガスステー４からの力が円柱ボルト９の中心とずれるようにして加わり、円柱ボルト９の中心から力の作用線と平行な仮想線上にハウジング切欠１１が位置することとなり、ハウジング８の円柱ボルト９からの離脱が容易である。
【００４６】
また、前記実施形態においては、円柱ボルト９に突出部１３を設け、障害物のフード１への衝突時に、ハウジング８のハウジング切欠１１の周縁と干渉させるものを示したが、例えば図６に示すように突出部１３を設けずとも、衝突時にガスステー４を脱落させて、フード１のアウタパネル、ヒンジ３等により、構造全体で効率よく衝撃を吸収することができる。
【００４７】
さらに、前記実施形態においては、円柱ボルト９に円柱ボルト切欠１２を形成したものを示したが、例えば図８に示すように円柱ボルト切欠１２を形成せずとも、障害物のフード１への衝突時に、円柱ボルト９の突出部１３がハウジング８のハウジング切欠１１の周縁と干渉すれば、ハウジング８が円柱ボルト９から離脱する構成とすることができる。
【００４８】
また、前記実施形態においては、ハウジング８及び円柱ボルト９によりガスステー４を車体フレーム２に支持させるものを示したが、いわゆるボールジョイント等のように、球状のボルトを用いてガスステー４を車体側に支持させるものであってもよいことは勿論である。さらに、軸部材として円柱ボルト９を用いたものを示したが、車体フレーム２と一体に成形されたロッド等であってもよいし、ヒンジ３の構造、円柱ボルト切欠１２の形状等、その他の具体的な細部構造についても適宜に変更可能であることは勿論である。
【図面の簡単な説明】
【００４９】
【図１】本発明の一実施形態を示すフードが閉塞状態のときの自動車車両の側面説明図である。
【図２】フードが開放状態のときの自動車車両の側面説明図である。
【図３】フード支持構造の外観斜視図である。
【図４】フード支持構造の縦断面図であって、（ａ）はフードが閉塞状態のときを示した図であり、（ｂ）はフードが開放状態のときを示した図であり、（ｃ）はフードに障害物が衝突した状態を示した図である。
【図５】フードに障害物が衝突した状態における自動車車両の側面説明図である。
【図６】変形例を示すフード支持構造の縦断面図である。
【図７】変形例を示す自動車車両の側面説明図である。
【図８】変形例を示すフード支持構造の縦断面図である。
【符号の説明】
【００５０】
１          フード
２          車体フレーム
３          ヒンジ
４          ガスステー
８          ハウジング
９          円柱ボルト
１１        ハウジング切欠
１２        円柱ボルト切欠
１３        突出部
Ａ          ハウジング切欠の幅方向長さ
Ｂ          円柱ボルトの径方向長さ
【図１】
2005280575.tif 000003
【図２】
2005280575.tif 000004
【図３】
2005280575.tif 000005
【図４】
2005280575.tif 000006
【図５】
2005280575.tif 000007
【図６】
2005280575.tif 000008
【図７】
2005280575.tif 000009
【図８】
2005280575.tif 000010